(57)【要約】切断の間、細長い円形製品（２）を支持する装置は、固定された下側支持フレーム（２４）および可動な上側支持フレーム（２５）を有する。右側底部支持リンク（４６）および左側底部支持リンク（４７）は、下側フレームに回動可能に連結される下端（４８）を含む。右側側部支持リンク（５５）および左側側部支持リンク（５６）は、下側フレームにあるスロット（６２）、底部支持リンクの一方の上端に回動可能に連結される中間ピボット点（５８）、および製品と係合可能な上端（５９）を有する。上側フレームは、製品と係合可能な右側および左側ガイド面（６８）を有する。上側フレームが下側フレームに向かって下方に移動する際、上側フレームのガイド面（６８、７０）は、側部支持リンク（５５、５６）の上端を製品の中心のより近くに移動させる。
2004516154.tif 000002
【特許請求の範囲】
【請求項１】
切断の間、略円形の断面および軸方向に延出する中心線を有する細長い製品をガイドする装置であって、
下側支持フレームと、
前記下側支持フレームに対して可動に取り付けられた上側支持フレームと、
右側底部支持リンクおよび左側底部支持リンクであって、該底部支持リンクのそれぞれは、前記下側支持フレームに回動可能に連結される下端と、上端と、および前記製品をガイドするようになっているガイド面とを有する、右側底部支持リンクおよび左側底部支持リンクと、
右側側部支持リンクおよび左側側部支持リンクであって、該側部支持リンクのそれぞれは、前記下側支持フレームにより摺動可能に支持される下端と、前記底部支持リンクの一方の前記上端に回動可能に連結される中間ピボット点と、上端と、および該中間ピボット点と前記上端との間で前記製品をガイドするようになっているガイド面とを有する、右側側部支持リンクおよび左側側部支持リンクと、
前記上側支持フレームに取り付けられる上部製品ガイドであって、該上部製品ガイドは、前記製品をガイドするようになっているガイド面と、前記右側側部支持リンクに係合する右側下端と、および前記左側側部支持リンクに係合する左側下端とを有し、前記側部支持リンクのそれぞれの前記上端が前記製品の中心線から第１の距離だけ離隔した上昇位置と、前記側部支持リンクのそれぞれの上端が前記第１の距離よりも短い製品の中心線から第２の距離まで前記上部製品ガイドの前記下端によって移動される下降位置との間で可動である、上部製品ガイドと、
を備える装置。
【請求項２】
前記底部支持リンクの前記ガイド面および前記側部支持リンクの前記ガイド面は、湾曲している、請求項１に記載の装置。
【請求項３】
前記上部製品ガイドの前記ガイド面は、湾曲している、請求項２に記載の装置。
【請求項４】
前記上部製品ガイドは、前記右側下端と前記左側下端との間で前記製品をガイドするようになっている湾曲面を有する、請求項１に記載の装置。
【請求項５】
前記上部製品ガイドは、前記右側下端を含む右側ガイド面と、前記左側下端を含む左側ガイド面と、並びに、前記右側ガイド面及び前記左側ガイド面の間の中央ガイド面とを有する、請求項１に記載の装置。
【請求項６】
前記右側ガイド面、前記左側ガイド面、および前記中央ガイド面は、湾曲している、請求項５に記載の装置。
【請求項７】
前記側部支持リンクのそれぞれと係合し、前記支持リンクを前記製品の前記中心線から離すように弾性的に付勢するばねを有する、請求項１に記載の装置。
【請求項８】
前記右側側部支持リンクおよび前記左側側部支持リンクのそれぞれの前記下端は、前記下側支持フレームにあるスロットにより摺動可能に支持される、請求項１に記載の装置。
【請求項９】
前記下側支持フレームにある前記スロットのそれぞれは、上方かつ外方に延在し、下端および上端を含み、前記側部支持リンクのそれぞれの前記下端は、前記側部支持リンクの前記上端が前記第１の距離にある場合、連係のスロットの前記下端に位置付けされると共に、前記側部支持リンクの前記上端が前記第２の距離にある場合、連係のスロットの前記上端に位置付けされる、請求項８に記載の装置。
【請求項１０】
前記底部支持リンクのそれぞれの前記下端と前記底部支持フレームとの間の回動可能な連結部は、固定位置にあり、前記底部支持リンクのそれぞれの前記上端と、連係の前記側部支持リンクとの間の回動可能な連結部は、前記側部支持リンクが前記上部製品ガイドにより移動される際に可動である、請求項１に記載の装置。
【請求項１１】
前記底部支持リンクのそれぞれの前記上端は、前記側部支持リンクの前記上端が前記第１の距離にある場合、前記製品の前記中心線から第１の距離だけ離隔し、前記側部支持リンクの前記上端が前記第２の距離にある場合、前記製品の前記中心線から第２の距離だけ離隔し、前記底部支持リンクの前記第２の距離は、前記底部支持リンクの前記第１の距離よりも短い、請求項１に記載の装置。
【発明の詳細な説明】
【０００１】
［背景］
本発明は、切断の間に製品を支持するための装置に関し、特に、トイレットペーパーまたはキッチンタオルのログ（ｌｏｇ）のような多層材料を横方向に切断するソー（ｓａｗ：鋸）によって切断するために製品を支持することに関する。
【０００２】
トイレットペーパーまたはキッチンタオルのロールの製造では、ウェブ材料からなる巨大サイズの親ロールが巻き出され、横方向にミシン目を入れられ、最終製品の直径を有するログに巻き取られる。ログは、ログソー（ｌｏｇ ｓａｗ）によって、トイレットペーパーまたはキッチンタオルの個々のロールになるように切断される。
【０００３】
巻取機は、たとえば、米国特許第６，０５６，２２９号、米国特許第Ｒｅ．２８，３５３号、およびＥＰＯ  ０６９４０２０Ｂ１において記載されている。
【０００４】
ログソーは、たとえば、米国特許第６，１２３，００２号、米国特許第Ｒｅ．３０，５９８号、および米国特許第５，３１５，９０７号において記載されている。
【０００５】
目下のすべてのログソーアセンブリでは、ログはブレード（ｂｌａｄｅ：鋸刃）の経路の方に軸方向に前進し、ブレードはログを横方向に通過する。ログはブレードの上流で支持され、切断されたロールおよび切断中のロールはブレードの下流で支持される。
【０００６】
目下のログソーによる問題はログソーに応じて様々である。いくつかのデザインでは、米国特許第５，３１５，９０７号に示されるように、支持体は剛性であるが、必要な場合には、最適な切断品質のためにログの一直径のみに適合する。このことは、同一人に所有されている米国特許第Ｒｅ．３０，５９８号にも当てはまる。製品の直径の大きな差に対処するために交換部品が必要とされる。
【０００７】
米国特許第５，３５７，８３３号および同第５，６４７，２５９号において示されるアセンブリでは、製品を支持するストリップ（ｓｔｒｉｐ：条片）およびストラップは、製品の直径を調整することができるように可撓にされる。これらのストリップおよびストラップは、拡張（伸張）する弾性傾向を有する。したがって、ストリップおよびストラップは、より小さな曲げ半径を強いられるまでより大きな曲げ半径であろうとするため、製品に対して正確な円形を形成しない。
【０００８】
製品直径の調整のために使用される機構は、単純であり、人が調整を行うことを容易にさせるものでなければならない。米国特許第５，３５７，８３３号に示されるようなアセンブリでは、２つの独立調整、すなわち、一方はストラップのための、もう一方は揺動クレードル（ｏｓｃｉｌｌａｔｉｎｇ ｃｒａｄｌｅｓ：揺れ台）のための調整が、製品直径のバラツキのため必要とされる。これらの間の微調整（ｆｉｎｅ−ｔｕｒｎｉｎｇ）は、ストリップおよびストラップの拡張する弾性傾向があることにより必要とされる。
【０００９】
米国特許第５，６４７，２５９号（同第５，３５７，８３３号を凌ぐ改良である）では、より複雑なアセンブリは、１つのドライブを用いてのストラップおよびクレードルの製品直径の同時の粗調整を達成するように考案された。ストリップおよびストラップの拡張する弾性傾向に基づいて、実際上は第２の調整である微調整が、種々の直径を有する製品に対処するのに必要とされている。
【００１０】
［発明の概要］
コンバーティング産業（ｃｏｎｖｅｒｔｉｎｇ ｉｎｄｕｓｔｒｙ）は、剛性であるだけでなく、製品の直径範囲全体にわたっての製品との十分な接触を与え、あるいはそのためのガイドを行うアセンブリを必要としている。このことを達成するために用いられる装置には、単一モードの調整が含まれるべきである。この問題を解決するため、直径のバラツキのための調整の間、可動上側支持アセンブリ構成部品によってガイドされる、製品を載置する回動可能な下側リンクを用いた、新規のタイプの支持アセンブリが発明された。本発明は、部品の交換または第２の微調整なしに、単一の調整機構により直径範囲全体にわたってのログの切断のために調整可能な支持アセンブリのための装置を提供する。
【００１１】
本発明は、２つの製品支持アセンブリ、すなわち、ブレード経路の上流および下流に１つずつのアセンブリを有する。これらの支持アセンブリは、単一または複数の製品レーンのために設置され得る。各支持アセンブリは、製品の上方に調整可能でない静止ガイドを有する。これらのガイドは、直径範囲の一部分にかけて製品を支持するように形成される。これらのガイドの形状は、種々の製品直径のための調整の間、回動可能な下側支持アセンブリのリンクの位置も調節する。上側支持アセンブリが上昇するにつれて、リンクは、製品が移動するために通る、より大きな開口部を与えるように動く。上側アセンブリが下降するにつれて、より小さな開口部が与えられる。上側支持アセンブリの上昇および下降は、手動または動力によりなすことができる。
【００１２】
本発明は、添付図面に示す例示的な実施形態とともに説明する。
【００１３】
［特定の実施形態の説明］
ログＬは、ログプッシャー１１、１２、１３、および１４により、ログソーのブレード経路Ｐ（図３）に向かって軸方向に移動される。ログプッシャーは、在来式であり、ログソーの技術分野に周知である。図示した特定のログソーは、４本レーンのソーであり、４つのログＬ１、Ｌ２、Ｌ３、およびＬ４が、ブレードの各通過の間で切断される。しかしながら、本発明は、より多くのレーンまたはより少ないレーンで使用することができる。各ログは、中空コアＣを有し、渦巻状に巻かれたウェブ材料Ｗを有する。
【００１４】
プッシャーは、ログの下にあるログソーの支持プレート１６に取り付けられるコンベヤ１５によって駆動される。各プッシャーは、垂直アーム１７と、該アームの上端のブラケット１９に取り付けられるパドル１８とを有する。プッシャー１１および１４のパドルはブラケットから上方に延出し、プッシャー１２および１３のパドルはブラケットから下方に延出している。
【００１５】
上流の製品支持アセンブリ２１および下流の製品支持アセンブリ２２は、ブレード経路Ｐの上流および下流でログソーの支持プレート１６上に取り付けられる。上流アセンブリおよび下流アセンブリは略同一であるため、上流アセンブリのみを説明する。
【００１６】
製品支持アセンブリのそれぞれは、支持プレート１６に固定された下側製品支持フレーム２４と、垂直移動のために支持プレート１６に取り付けられた可動な上側製品支持フレーム２５とを有する。
【００１７】
下側フレーム２４は、支持プレート１６に取り付けられた、垂直に延出した側支柱（ｓｉｄｅ ｐｏｓｔｓ）２７および２８を有する。右側ブラケット２９および左側ブラケット３０が側支柱から下方に延出している。上側フレーム２５は、上部プレート３２と、右側スリーブ３３および左側スリーブ３４とを有し、これらのスリーブは側支柱２７および側支柱２８に摺動可能に取り付けられている。
【００１８】
上側フレームは、ブラケット２９および３９に取り付けられるアクチュエータ（ｊａｃｕａｔｏｒｓ）３６および３７によって垂直に移動することができる。アクチュエータは、Ｄｕｆｆ−Ｎｏｒｔｏｎ，Ｐ．Ｏ．Ｂｏｘ  ７０１０、Ｃｈａｒｌｏｔｔｅ，ＮＣ  ２８２４１−７０１０から入手可能である。アクチュエータ３６および３７は、シャフト４０によってともに連結されている。図３を参照すると、上流アクチュエータおよび下流アクチュエータは、プーリ４１および４２、ならびにベルト４３によって連結されている。これらのアクチュエータは、手動輪（ｈａｎｄｗｈｅｅｌ）４４によって駆動される。代替的に、アクチュエータはモータによって駆動され得る。アクチュエータ３６および３７の上端は、輪付きブラケット（ｅｙｅ ｂｒａｃｋｅｔｓ）４３を通って延出するピン４９によってスリーブ３３および３４に取り付けられる。
【００１９】
ログを支持する一対の右側底部ログ支持リンク４６および左側底部ログ支持リンク４７は、ログの４本レーンのそれぞれについて下側フレーム２４に回動可能に取り付けられる。各リンクは、固定ブラケット５０にピン４９により回動可能に連結される下端４８を有する。ブラケット５０は、下側フレームに取り付けられた支柱５１に取り付けられる。リンク４６および４７のそれぞれはまた、ログＬの底部および上端５３を支持するログ支持面５２を有する。
【００２０】
各レーンもまた、右側側部ログ支持リンク５５および左側側部ログ支持リンク５６を有する。側部リンクのそれぞれは、下端５７、中間ピボット点５８、上端５９、およびログの側部を支持するログ支持面６０を有する。各側部リンクの下端にあるピン６１は、支柱５１の１つに取り付けられたプレート６３にある湾曲スロット６２に摺動可能に取り付けられる。中間ピボット点５８は、ピン６４によって底部リンク４６および４７の一方の上端に回動可能に連結される。
【００２１】
一対の右側上部製品ガイド６６および左側上部製品ガイド６７が、各ログについて上側フレーム２５に取り付けられる。各ガイドは、ガイド／ログ支持面６８を有する。中央の上部製品ガイド６９は、ガイド６６および６７間の上側フレームに取り付けられ、ガイド面７０を有する。
【００２２】
図１を参照すると、上側フレーム２５がその上昇位置にあるとき、上部ガイド６６および６７の下端７２および７３が、側部リンク５５および５６の一方の外面７４と係合する。張力ばね７５が、各支柱５１に取り付けられ、側部リンクの１つを外方に弾性的に付勢して、連係の上部ガイドと係合させる。所望の場合、張力ばねは、たとえば、適正な位置に配された重量（ｗｅｉｇｈｔ：重し）またはケーブル重量（ａ ｃａｂｌｅ ａｎｄ ｗｅｉｇｈｔ）のような他の機構で代替することができる。この要件は、側部リンク５５および５６の外面７４を上部ガイド６６および６７に抗しておくことである。
【００２３】
図１では、底部リンク４６および４７のガイド面、側部リンク５５および５６のガイド面、ならびに上部ガイド６６、６７、および６９のガイド面は、略円形の経路の線をなしている。そのため、比較的大径のログの円形外面は、その外周の全体またはかなりの部分にわたって支持される。リンクおよび上部ガイドは剛性であり、ログに対し剛性支持面を形成する。
【００２４】
右側底部リンク４６および左側底部リンク４７は、ログの軸中心線Ａを介して延在する垂直平面の両側に離間している。したがって、ログプッシャー１４の垂直アーム１７は、リンク間を通過して支持アセンブリを介してログを押し出すことができる。
【００２５】
ログが切断の間に静止している場合のログソーでは、リンクおよびガイドによって形成される円形の直径をログの直径よりもわずかに小さく設定することが有利である。そのため、この装置は、ログプッシャーの前進が止まるとログを停止させる圧締力（ｃｌａｍｐｉｎｇ ｆｏｒｃｅ：型締力）をログにかけることになる。
【００２６】
米国特許第Ｒｅ．３０，３９８号および米国特許第６，１２３，００２号に記載されているタイプの連続動作ソー（ｃｏｎｔｉｎｕｏｕｓ ｍｏｔｉｏｎ ｓａｗｓ）の場合では、切断の間、ログが前進する。支持アセンブリの直径は、ログの直径より大きいものとすることができるか、あるいはそれより小さいものとすることができる。
【００２７】
より小さなログが切断される場合、上側フレーム２５が下側フレーム２４の方に下降する。上側フレームは、手動輪４１によって手動で下降させることができるか、あるいはアクチュエータ３６および３７に連結されたモータにより自動的に下降させることができる。上側フレームが下方に移動するにつれて、上部ガイド６６および６７のガイド面は、側部リンク５５および５６の上端をログの軸に向けて内方に係合する（ｃａｍ）。側部リンクの下端は、スロット６２によってガイドされ、外方かつ上方に移動する。側部リンクの中間ピボット点ならびに底部リンク４６および４７の連結した上端は、上方かつ内方に移動する。そのため、底部リンク、側部リンク、および上部ガイドによって形成される略円形の経路は、より小さくなり、より小さなログについて調整される。
【００２８】
図２は、完全に下降した位置にある上側フレームを示す。側部リンクの下端は、スロット６２の外端にある。右側底部リンク４６は逆時計回りに回動しており、左側底部リンク４７は時計回りに回動している。
【００２９】
ログＬ’の小径の円形外面は、底部リンク４６および４７のガイド面、側部リンク５５および５６のガイド面、中央上部ガイド６９のガイド面により、その円形外面のかなりの部分の周囲と係合する。これらのガイド面は、完全な円を形成しないが、それでもログの円形外面の大部分を支持する。
【００３０】
支持アセンブリのサイズは、上側フレーム２５を上昇させることによって増大させることができる。張力ばね７５は、側部リンク５５および５６の外面を上部ガイド６６および６７のガイド面に押しやって、上側フレームが上昇するにつれて側部リンクの上端が外方に移動するようにする。
【００３１】
図示の実施形態では、支持アセンブリのサイズは、部品を交換せずに、３．５０インチ（８８．９ｍｍ）〜６．７５インチ（１７１．５ｍｍ）の範囲内のログ直径を受け入れるように調整することができる。この範囲にわたる調整は、いずれの微調整もなしに、上側フレームを上昇または下降させる単一の調整機構によって達成される。
【００３２】
下側フレーム２４は、調整範囲にわたって静止したままである。下側フレームは、プッシャーおよび底部リンクを支持する。底部リンクがログの底部を支持するため、ログの底部の支持体は、ログの種々のサイズのために位置を移されることはない。ログの底部のための支持体は常に、ログソーのログコンベヤと整合したままであるため、コンベヤに相対した支持アセンブリの位置を調整する必要はない。
【００３３】
底部リンクのガイド面、側部リンクのガイド面、および上部ガイドのガイド面によって形成される湾曲外郭は、受け入られ得る直径範囲内のログ直径の少なくとも１つに対して円形または略円形である。最も用いられる直径に応じて、特定のログ直径に対して円形の外郭を形成するようにガイド面を構成することが望ましい場合もある。外径におけるガイド面の湾曲外郭は、正確には円形ではないが、略円形である。
【００３４】
好適な実施形態では、底部リンクのガイド面、側部リンクのガイド面、および上部ガイドのガイド面が、ログの湾曲面と直接接触する。しかしながら、本発明の利点はさらに、リンク、ガイド、およびログの間に１つまたは複数の中間介在部材を介在配置することによって達成することができる。たとえば、ログを実質的に取り囲む湾曲スリーブを、リンク、ガイド、およびログの間に配置することができる。この場合、スリーブと接触するリンクおよびガイドの面は湾曲している必要はない。リンクおよびガイドはさらに、スリーブを支持することによって、ログのためのガイドとして作用する。
【００３５】
中間介在部材はまた、２つの弾性片、すなわち、ログプッシャーの両側に１つずつ置かれる弾性片とし、底部リンク４６または４７の下端４８の近くに保持されることができる。各片の上端は、米国特許第５，３５７，８３３号および同第５，６４７，２５９号に記載されているのと同様にして上側フレームが直径変動ために調整される際に、自由に移動する。
【００３６】
上記の明細書において、特定の実施形態の詳細な説明は、例示の目的のために記載されているものであり、本明細書に与えられた詳細の多くは、本発明の精神および範囲から逸脱することなく当業者によって相当に変更され得ることを理解されたい。
【図面の簡単な説明】
【図１】
本発明によって形成され、大径のログを用いての使用のために調整される製品支持アセンブリの端部立面図である。
【図２】
小径のログを用いての使用のために調整される製品支持アセンブリを示す図１と同様の図である。
【図３】
上流および下流の製品支持アセンブリの側部立面図である。
【図４】
製品支持アセンブリの１つの拡大端面図である。
【符号の説明】
２４  下側支持フレーム
２５  上側支持フレーム
４６  右側底部支持リンク
４７  左側底部支持リンク
５５  右側側部支持リンク
５６  左側側部支持リンク
６９  上部製品ガイド
【国際公開パンフレット】
2004516154.tif 000003
2004516154.tif 000004
2004516154.tif 000005
2004516154.tif 000006
2004516154.tif 000007
2004516154.tif 000008
2004516154.tif 000009
2004516154.tif 000010
2004516154.tif 000011
2004516154.tif 000012
2004516154.tif 000013
2004516154.tif 000014
2004516154.tif 000015
2004516154.tif 000016
2004516154.tif 000017
2004516154.tif 000018
2004516154.tif 000019
2004516154.tif 000020
【国際調査報告】
2004516154.tif 000021
2004516154.tif 000022
2004516154.tif 000023